(57)【要約】【課題】携帯電話及びインターネットを利用して簡易かつ迅速な広告の作成及び配信を行う広告作成配信システムを提供する。【解決手段】携帯電話である広告主端末21と、広告閲覧端末31、32と、これらの端末とインターネットを介して接続された広告作成配信サーバ10とを備えた広告作成配信システムにおいて、広告作成配信サーバが、写真データを添付するとともに広告に関連する情報をメール本文に含めた写真付メールを広告主端末21から受信することに応じて、所定の広告テンプレートに対し、写真データと、メール本文とを入力することにより広告配信サイト15の広告ページを作成する手段と、広告閲覧端末31,32から広告配信サイトの広告ページに対する配信要求を受信することに応じて、広告ページを配信する手段とを有することを特徴とする、写真付メールを用いた広告作成配信システムである。【選択図】図１
2010204778.tif 000002
【特許請求の範囲】
【請求項１】
携帯電話である広告主端末と、広告閲覧端末と、これらの端末とインターネットを介して接続された広告作成配信サーバとを備えた広告作成配信システムにおいて、
前記広告作成配信サーバが、
写真データを添付するとともに広告に関連する情報をメール本文に含めた写真付メールを該広告主端末から受信することに応じて、所定の広告テンプレートに対し、前記写真データと、前記メール本文とを入力することにより広告配信サイトの広告ページを作成する手段と、
前記広告閲覧端末から前記広告配信サイトの広告ページに対する配信要求を受信することに応じて、該広告ページを配信する手段とを有することを特徴とする、
写真付メールを用いた広告作成配信システム。
【請求項２】
携帯電話である広告主端末と、広告閲覧端末と、これらの端末とインターネットを介して接続された広告作成配信サーバとを備えた広告作成配信システムにおいて、
前記広告作成配信サーバが、
広告主端末のメールアドレス及び広告主に固有の広告主情報を予め広告主データベースに登録する手段と、
写真データを添付した写真付メールを該広告主端末から受信することに応じて、該写真付メールから判定したメールアドレスに基づいて前記広告主データベースを検索し、該メールアドレスに対応する前記広告主情報を取得する手段と、
所定の広告テンプレートに対し、前記写真データと前記取得した広告主情報とを入力することにより広告配信サイトの広告ページを作成する手段と、
前記広告閲覧端末から前記広告配信サイトの広告ページに対する配信要求を受信することに応じて、該広告ページを配信する手段とを有することを特徴とする、
写真付メールを用いた広告作成配信システム。
【請求項３】
前記写真付メールのメール本文に広告に関連する情報が含まれており、前記所定のテンプレートに対し、該メール本文を併せて入力することを特徴とする請求項２に記載の写真付メールを用いた広告作成配信システム。
【発明の詳細な説明】
【技術分野】
【０００１】
本発明は、携帯電話及びインターネットを利用して簡易かつ迅速な広告の作成及び配信を行う広告作成配信システムに関する。
【背景技術】
【０００２】
現在、Ｗｅｂサイトを利用して種々の広告配信が行われている。さらに、このようなネットワーク広告の配信システムにおいて、携帯電話を利用したものとしては、インターネット接続機能をもつ携帯電話のユーザに対して広告配信を行うものがほとんどである。例えば、特許文献１では、各広告情報と、広告情報提供者（広告主）とを対応付けて予めデータベースに格納しておき、ユーザの携帯電話から広告情報の配信要求があった場合に、データベースから広告情報を抽出してユーザの携帯電話に配信している。ユーザが広告情報を閲覧したことに応じてユーザにポイントを付加し、ユーザと獲得ポイントとを対応付けて記憶している。
【先行技術文献】
【特許文献】
【０００３】
【特許文献１】特開２００２−２５９８１９号公報
【発明の概要】
【発明が解決しようとする課題】
【０００４】
従来の広告作成配信システムにおいては、次のような問題点があった。
（１）システムサーバに対し、事前に広告主として登録し、広告発信予定日時よりも相当前に広告内容の情報を提供し蓄積させておく必要があった。従って、緊急に広告を行う必要のある場合には、対応することが困難であった。例えば、生鮮食品販売店などが、当日の朝に入荷した商品の鮮度を確認した上で、直ちに広告を行いたいような場合である。
（２）ネットワーク広告に限らず、新聞のチラシなどでも、所望する広告内容を伝えて広告の作成を依頼すると、簡単な構成の広告であっても相当のコストが掛かっていた。
（３）一般的なパーソナルコンピュータをブラウザ端末として、システムサーバにアクセスして広告の申込をする場合、任意の場所から申込を行うことには制約があった。例えば、店舗に並んでいる商品の写真を掲載したい場合、先ず、その商品を撮影し、写真データをブラウザ端末に取込んでからシステムサーバに送信しなければならず、煩雑であった。
（４）事前に広告内容を伝える場合、レイアウト、配色、背景などの細かい指定が必要であり、煩雑であった。
（５）ネットワーク広告を閲覧するユーザの管理が必要な場合、例えば、特定のユーザにのみ閲覧させる場合や、ユーザに対してポイントなどの特典を還元する場合は、システムサーバに、ユーザデータベースが必要であった。
【０００５】
以上の問題点に鑑み、本発明は、携帯電話及びインターネットを利用して簡易かつ迅速な広告の作成及び配信を行う広告作成配信システムを提供することを目的とする。
【課題を解決するための手段】
【０００６】
上記の目的を達成する本発明の構成は、次の通りである。
本発明の第１の態様は、携帯電話である広告主端末と、広告閲覧端末と、これらの端末とインターネットを介して接続された広告作成配信サーバとを備えた広告作成配信システムにおいて、前記広告作成配信サーバが、写真データを添付するとともに広告に関連する情報をメール本文に含めた写真付メールを該広告主端末から受信することに応じて、所定の広告テンプレートに対し、前記写真データと、前記メール本文とを入力することにより広告配信サイトの広告ページを作成する手段と、前記広告閲覧端末から前記広告配信サイトの広告ページに対する配信要求を受信することに応じて、該広告ページを配信する手段とを有することを特徴とする。
【０００７】
本発明の第２の態様は、携帯電話である広告主端末と、広告閲覧端末と、これらの端末とインターネットを介して接続された広告作成配信サーバとを備えた広告作成配信システムにおいて、前記広告作成配信サーバが、広告主端末のメールアドレス及び広告主に固有の広告主情報を予め広告主データベースに登録する手段と、写真データを添付した写真付メールを該広告主端末から受信することに応じて、該写真付メールから判定したメールアドレスに基づいて前記広告主データベースを検索し、該メールアドレスに対応する前記広告主情報を取得する手段と、所定の広告テンプレートに対し、前記写真データと前記取得した広告主情報とを入力することにより広告配信サイトの広告ページを作成する手段と、前記広告閲覧端末から前記広告配信サイトの広告ページに対する配信要求を受信することに応じて、該広告ページを配信する手段とを有することを特徴とする。
【０００８】
上記第２の態様においてさらに、前記写真付メールのメール本文に広告に関連する情報が含まれており、前記所定のテンプレートに対し、該メール本文を併せて入力することが好適である。
【発明の効果】
【０００９】
本発明の第１の態様では、広告主や広告内容に関連する情報の事前登録が全く不要である。それにも拘わらず、迅速な広告の作成及び配信が実現できる。広告主は、携帯電話である広告主端末から写真付メール（写真データを添付ファイルとした電子メール）を広告作成配信サーバに送信するだけでよい。従って、カメラ付携帯電話であれば、例えば、店舗に並んだ商品を携帯電話で撮影し、直ちにその場で広告依頼の写真付メールを送信することができる。従って、広告を依頼する時間と場所の制約がない。
この写真付メールのメール本文に、広告に関連する情報を含めておくことで、必要十分な情報を含んだ広告ページを作成できる。広告に関連する情報とは、例えば、広告対象の店舗名や店舗所在地等の広告主に固有の広告主情報、及び、広告内容情報(商品紹介やセールのお知らせ等)である。広告主情報は、通常、広告毎に変更されることがない固定された情報であり、広告内容情報は、通常、広告毎に異なるものである。
広告作成配信サーバは、所定の広告テンプレートに対し、写真データと、メール本文とを入力することで、迅速かつ簡易に広告ページを作成することができ、作成後は直ちに広告配信サイトから配信可能な状態とすることができる。従って、本システムを初めて利用する広告主であっても、直ちに広告を発信することが可能である。。
【００１０】
本発明の第２の態様では、少なくとも広告主端末のメールアドレス及び広告主情報を事前に登録しておく。広告主情報は、広告主に固有の情報であって、店舗名や店舗所在地等を含む。この場合、広告主は、写真付メールを広告作成配信サーバに送信する際に、広告主情報を含める必要がない。従って、メール本文なしの写真付メールで広告依頼があった場合も、広告作成配信サーバに登録された広告主情報を用いて必要十分な広告ページを作成することが可能である。この場合、さらに簡易に広告依頼を行うことができる。
また、第２の態様において、メール本文に、広告内容情報を含めることにより、さらに効果的な広告ページを簡易に作成することができる。
【００１１】
上記いずれの態様においても、広告閲覧端末を用いる閲覧ユーザは、広告配信サイトにアクセスして広告を閲覧するのみであり、閲覧ユーザの事前の登録は不要である。閲覧ユーザは、簡易に最新の商品情報などを入手することが可能となる。また、広告作成配信サーバも、閲覧ユーザのユーザデータベースは不要である。
本システムによる広告ページの作成コストは、従来のものに比べて低コストとすることができる。
【図面の簡単な説明】
【００１２】
【図１】本発明による写真付メールによる広告作成配信システムの概要構成図である。
【図２】図１の広告主データベース１４ａに格納されるテーブル構成例である。
【図３】図１の広告テンプレートデータベース１４ｂに格納されるテーブル構成例である。
【図４】図１の広告履歴データベース１４ｃに格納されるテーブル構成例である。
【図５】本システムの利用を希望する広告主が実際の広告依頼をする前に予め登録する場合の広告主登録フローの一例である。
【図６】広告主の依頼により広告ページの作成及び配信を行う場合の広告作成配信フローの一例である。
【図７】図６のフローの一部である。
【図８】(ａ)(ｂ)は、作成された広告ページの画面例である。
【発明を実施するための形態】
【００１３】
以下、図面を参照して本発明の実施の形態を説明する。
図１は、本発明による写真付メールによる広告作成配信システムの概要構成図である。
広告作成配信サーバ１０は、本システムの主たる機能を担う基幹サーバであり、適宜のコンピュータに所定のプログラムを導入することにより実施される。広告作成配信サーバ１０は、インターネットを介して、広告主端末２１及び広告閲覧端末３１、３２と接続されている。
【００１４】
広告作成配信サーバ１０は、Ｗｅｂサーバ機能を備え、それにより広告主登録サイト１１及び広告配信サイト１５の２種類のＷｅｂサイトを管理している。広告主登録サイト１１は、広告主端末２１との間で情報伝送を行うためのサイトであり、広告配信サイト１５は、広告閲覧端末３１、３２との間で情報伝送を行うためのサイトである。写真付メール受信部１２は、広告主端末２１から送信された写真付メールを受信してデータ処理部１３へ渡す機能を備える。
【００１５】
データ処理部１３は、プログラムの実行により機能する各処理手段を備え、主な処理としては、広告主登録手段１３ａ、広告ページ作成手段１３ｂ、広告履歴集計手段１３ｃがある。
データ記憶部１４は、データ処理部１３と連携して機能し、本システムに関連する各種データベースを管理している。主なデータベースとしては、広告主データベース１４ａ、広告テンプレートデータベース１４ｂ、広告履歴データベース１４ｃがある。これらのデータベースは、互いに共通するデータ項目を介して関係しており、全体を１つのデータベースとみなすこともできる。
【００１６】
広告主登録手段１３ａは、広告主端末２１のユーザである広告主の固有情報である広告主情報、並びに、広告主端末２１のメールアドレスを広告主データベース１４ａに登録する処理を行う。広告ページ作成手段１３ｂは、広告主端末２１から写真付メールを受信したことに応じて、広告ページを作成するとともにその作成履歴を広告履歴データベース１４ｃに記録する処理を行う。広告履歴集計手段１３ｃは、広告作成の履歴を集計して課金計算を行う処理を行う。
【００１７】
広告主端末２１は、携帯電話であり、好適にはカメラ付携帯電話である。写真データを添付した電子メールの送受信機能と、Ｗｅｂサイトの閲覧をするためのブラウザ機能とを備えている。
【００１８】
広告閲覧端末３１、３２は、Ｗｅｂサイトの閲覧をするためのブラウザ機能を備えていれば、どのような端末装置でもよい。例えば、携帯電話、パーソナルコンピュータ、ＰＤＡ等である。
【００１９】
図２は、図１の広告主データベース１４ａに格納されるテーブル構成例である。広告主データベース１４ａには、広告主端末のメールアドレス及び広告主に固有の広告主情報等が格納される。図示のテーブルには、広告主を一意に識別する識別符号である「広告主ＩＤ」２０１、広告主端末の「メールアドレス」２０２、広告対象である店舗の「店舗名」２０３、店舗の「所在地」２０４、広告主が選択した１つの広告テンプレートに対応する「広告テンプレートＩＤ」２０５の各データ項目がある。
【００２０】
図３は、図１の広告テンプレートデータベース１４ｂに格納されるテーブル構成例である。広告テンプレートは、広告配信サイトを構成する広告ページのひな形であり、広告ページ内のパーツのレイアウトなどが予め設定されている。広告テンプレートの各パーツに特定のデータを入力することにより特定の広告ページを作成することができる。本システムの提供する広告は、依頼から作成・配信までの迅速さを特徴としており、高度な機能やデザイン性を主目的とするものではないから、広告テンプレートの構成は、入力すべきパーツの数が比較的少なく簡素なものが好ましい。なお、画面の背景や装飾などの内容の固定されたパーツについては、任意でよい。
図示のテーブルには、広告テンプレートを一意に識別する識別符号である「広告テンプレートＩＤ」３０１、「テンプレートデータファイル名」３０２の各データ項目がある。「テンプレートデータファイル名」３０２を指定することにより、データ記憶部１４に別途保存されているデータファイルが呼び出される。
【００２１】
図３の下半分には、呼び出されたデータファイルにより作成されるＷｅｂページ画面例を２つ示している。
左側のテンプレート１による画面では、メール添付写真３０３、メール本文３０４、店舗名３０５、所在地３０６及び地図３０７の各パーツ欄が適宜のレイアウトで配置されている。広告ページを作成する際には、メール添付写真３０３の欄にメールに添付された写真データが入力され、メール本文３０４の欄にメール本文がそのまま入力される。メール本文には、例えば、広告内容情報(商品紹介、セールのお知らせ等)が記載される。店舗名３０５及び所在地３０６の欄には、それぞれ図２の広告主データベースに格納された項目データが入力される。地図３０７の欄には、所在地に基づいて適宜の地図データベースから取得した周辺地域の地図が入力される。この地図中に、所在地のポイントを示す印を付けて表示するようにしてもよい。
【００２２】
右側のテンプレート２による画面は、メール添付写真３０３及びメール本文３０４の２つのパーツ欄のみが配置されたシンプルなものである。広告ページを作成する際には、メール添付写真３０３の欄にメールに添付された写真データが入力され、メール本文３０４の欄にメール本文がそのまま入力される。この場合、メール本文には、少なくとも広告として必要な広告主情報（店舗名、所在地、電話番号等）及び広告内容情報(商品紹介、セールのお知らせ等)が含まれていなければならない。このテンプレート２による画面は、広告主端末２１からの写真付メールに含まれる情報のみから作成されるので、サーバが事前に広告主情報を保有していなくても、広告ページの作成が可能である。
【００２３】
従って、広告主の登録が予めされていない場合や、広告主の登録はされているが特定の広告テンプレートが指定していない場合には、テンプレート２のようなシンプルなものを、デフォールトの広告テンプレートとして用いることが好適である。
【００２４】
図４は、図１の広告履歴データベース１４ｃに格納されるテーブル構成例である。広告履歴データベース１４ｃには、広告作成の履歴が記録される。図示のテーブルには、「広告主ＩＤ」４０１、「広告作成日時」４０２、「作成回数集計」４０３の各データ項目がある。「広告作成日時」４０２は、広告主の依頼により広告ページを作成する毎に記録される。そして、所定の期間(例えば１か月)毎に集計処理が行われ、「作成回数集計」４０３が記録される。作成回数集計に基づいて、課金計算が行われ、広告主に対して請求される。
【００２５】
図５は、本システムの利用を希望する広告主が、実際の広告依頼をする前に予め登録する場合の広告主登録フローの一例である。広告主は、広告依頼の予定がない時点で登録を行ってもよいし、初めて広告依頼する際に先ず登録を行い、登録完了後に写真付メールを送信してもよい。
【００２６】
ステップ５０１：広告主端末２１は、そのブラウザから、広告作成配信サーバ１０の管理する広告主登録サイトへアクセスし、登録画面を表示させて必要な広告主情報を入力し送信する。なお、この登録操作は、必ずしも広告主端末２１から行わなくともよく、他の適宜のブラウザを備えたインターネット端末から行ってもよい。広告主情報としては、店舗名、所在地、広告主端末のメールアドレス、電話番号、ＦＡＸ番号等がある。店舗名及び所在地などは、通常、広告ページに当然に表示されるデータ項目であり、必須の広告主情報である。また、広告主端末２１のメールアドレスも必須である。
【００２７】
ステップ５０２：広告作成配信サーバ１０は、広告主登録サイト経由にて広告主端末２１からの広告主情報を取得する。この新規の広告主に対して広告主ＩＤを割り当て、広告主データベースに新規のレコードを作成し、取得した広告主情報の各データ項目を格納することで、登録を行う。
【００２８】
ステップ５０３：続いて、広告作成配信サーバ１０は、広告テンプレートデータベースから複数の広告テンプレートのデータを取得し、広告主登録サイト経由にて広告主端末２１へ送信して表示させ、所望する１つの広告テンプレートの選択を要求する。
【００２９】
ステップ５０４：広告主は、広告主端末２１に表示された複数の広告テンプレート（例えば、図３に示した２つの例）の中から所望する１つの広告テンプレートを選択する。広告主端末２１は、広告作成配信サーバ１０へその選択情報を送信する。あるいは、広告テンプレートを選択したくない場合は、選択しない旨の情報を送信する。
【００３０】
ステップ５０５：広告作成配信サーバ１０は、広告主登録サイト経由にて広告テンプレートの選択情報を取得する。選択された広告テンプレートに対応する広告テンプレートＩＤを、ステップ５０２で作成した新規のレコードに格納する。広告テンプレートが未選択の場合は、広告テンプレートＩＤの欄は、空欄のままとする。
【００３１】
図６は、広告主の依頼により広告ページの作成及び配信を行う場合の広告作成配信フローの一例である。図７は、図６のフローの一部である。
ステップ６０１：広告主は、好適にはカメラ付き携帯電話である広告主端末２１を用いて店舗に並んだ商品等の写真を撮影する。あるいは、別途撮影した写真データを広告主端末２１に取り込んでもよい。
【００３２】
ステップ６０２：広告主は、写真データを添付し、必要に応じてメール本文に広告主情報及び／または広告内容情報を書込み、写真付メールを広告作成配信サーバ１０へ送信する。この写真付メールが、サーバへの広告依頼となる。写真付メールの宛先メールアドレスは、別の経路(本システムを紹介する広告や記事など、あるいは、登録時のサーバからの通知)で提供されているものとする。
【００３３】
登録済みの広告主の場合、最も簡素な実施例では、メール本文に何も書き込まなくてもよい。この場合、写真を撮って写真付メールを送るだけの操作になる。例えば、写真中に商品とともに商品名や価格などを記載したプレート等も併せて撮影されていれば、足りるからである。もちろん、メール本文に広告内容情報（例えば、「本日の特価品は○○円」等）を書き込めば、より充実した広告が可能となる。
一方、初めて本システムを利用する未登録の広告主の場合は、写真付メールのメール本文に、最小限の広告に関連する情報を書き込むことが必要となる。この広告に関連する情報には、少なくとも広告に必要な広告主情報(店舗名や所在地)が含まれる。もちろん、広告内容情報をメール本文に含めてもよい。なお、上記の通り、写真のみで足りる場合は広告内容情報はなくてもよい。
【００３４】
ステップ６０３：広告作成配信サーバ１０は、写真付メールを受信する。
【００３５】
ステップ６０４：受信した写真付メールから送信者のメールアドレスを取得し、そのメールアドレスに基づいて広告主データベースを検索し、広告主が登録済みか否かを判断する。未登録の場合は、後述する図７のステップ７０１へ進み、登録されている場合は、ステップ６０５へ進む。
【００３６】
ステップ６０５：広告主データベースを参照することにより、そのメールアドレスに対応する広告テンプレートＩＤを取得し、ステップ６０６へ進む。広告テンプレートＩＤが空欄の場合は、ステップ６０７へ進む。
【００３７】
ステップ６０６：取得した広告テンプレートＩＤに基づいて、広告テンプレートデータベースを検索し、対応する広告テンプレートのデータファイルを呼び出す。
【００３８】
ステップ６０７：広告テンプレートが指定されていない場合は、広告テンプレートデータベースからデフォールトテンプレートのデータファイルを呼び出す。
【００３９】
ステップ７０１（図７）：未登録の広告主の場合、広告主ＩＤを割り当て、広告主データベースに新規のレコードを作成することで、仮登録を行う。但し、この時点では、広告主端末のメールアドレス以外は不明であるので、格納しなくてもよい。広告ページの作成配信の完了後に、広告主端末のメールアドレスに返信し、その返信メール中に広告主登録サイトのＵＲＬを含めておき、必要な広告主情報の入力を要求し、そして取得した広告主情報を広告主データベースに格納した時点で本登録とする。これにより、未登録の広告主は、次回の広告依頼からは登録済みの広告主として扱われる。
あるいは別の実施例として、未登録の広告主から受信した写真付メールのメール本文に含まれる広告主情報（店舗名や所在地）を自動的に読み取れる場合は、それらを読み取って広告主データベースに格納してもよい。
【００４０】
ステップ７０２(図７)：未登録の広告主の場合、指定された広告テンプレートがないため、広告テンプレートデータベースからデフォールトテンプレートのデータファイルを呼び出す。
【００４１】
ステップ６０８：ステップ６０６、６０７、７０２で呼び出した広告テンプレートに対し、写真付メールに添付された写真データを入力する。メール本文のある場合は、メール本文を入力する。登録済みの広告主の場合は、必要な広告主情報（店舗名、所在地等）を広告主データベースから取得して入力する。また、地図パーツ欄のある場合は、地図データを取得して入力する。これらにより、広告ページを作成する。続いて、Ｗｅｂサーバ機能により、作成した広告ページを、広告配信サイトから配信可能な状態とする。
【００４２】
ステップ６０９：広告閲覧端末３１、３２は、ブラウザから広告配信サイトにアクセスする。広告配信サイトのＵＲＬは、別の経路(本システムを紹介する広告や記事など)で提供されているものとする。
【００４３】
ステップ６１０：広告作成配信サーバ１０は、広告閲覧端末３１、３２からのアクセスに対して広告配信サイトのトップページを配信し、表示させる。広告配信サイトのトップページには、各広告ページにリンク付けされたインデックスを設けておいてもよい。閲覧ユーザは、そのインデックスをクリックすることで、所望する広告ページが配信され、閲覧することができる。
【００４４】
ステップ６１１：１つの広告ページを作成する毎に、その広告主についての広告作成履歴を広告履歴データベースに記録する。図４に例示したように、少なくとも作成日時を記録する。
【００４５】
ステップ６１２：広告履歴データベースの記録に基づいて、例えば、毎月の所定の日に１か月間の広告作成実績を広告主毎に集計する。集計結果に基づいて、課金計算する。課金計算により各広告主への広告料の請求額が決定する。
【００４６】
図８(ａ)(ｂ)は、本システムにより作成された広告ページの画面例である。(ａ)は、図３の下半分左側のテンプレート１を用いて作成された画面例である。(ｂ)は、図３の下半分右側のテンプレート２を用いて作成された画面例である。(ｂ)の例のように、価格を書いたプレートを商品とともに撮影することで、写真中で価格を表示することも可能である。
【符号の説明】
【００４７】
１０  広告作成配信サーバ
１１  広告主登録サイト
１２  写真付メール受信部
１３  データ処理部
１４  データ記憶部
１５  広告配信サイト
２１  広告主端末
３１、３２  広告閲覧端末
【図１】
2010204778.tif 000003
【図２】
2010204778.tif 000004
【図３】
2010204778.tif 000005
【図４】
2010204778.tif 000006
【図５】
2010204778.tif 000007
【図６】
2010204778.tif 000008
【図７】
2010204778.tif 000009
【図８】
2010204778.tif 000010